(57)【特許請求の範囲】
【請求項１】
モバイル通信ネットワークにおけるモバイルデバイススケジューリング方法であって、
情報グリッドの情報サブグリッドに記憶された無線リソース情報に従って、第１のモバイルデバイスが地理グリッドの任意の地理サブグリッドが位置する地理的領域に位置するとき、前記第１のモバイルデバイスのチャネル状況情報を予測するステップであって、前記地理グリッドは前記モバイル通信ネットワークによってカバーされる地理的領域に対応し、前記情報グリッドは前記地理グリッドに基づいて生成され、前記地理グリッドは複数の地理サブグリッドに分割され、対応して前記情報グリッドは複数の情報サブグリッドに分割され、各地理サブグリッドは１つの情報サブグリッドに対応し、前記地理サブグリッドに対応する地理的領域において生成された無線リソース情報は、対応する前記情報サブグリッドに記憶される、ステップと、
前記第１のモバイルデバイスの前記チャネル状況情報に従って、前記第１のモバイルデバイスをスケジューリングするステップと、
を含み、
情報グリッドの情報サブグリッドに記憶された無線リソース情報に従って、第１のモバイルデバイスが地理グリッドの任意の地理サブグリッドが位置する地理的領域に位置するとき、前記第１のモバイルデバイスのチャネル状況情報を予測する前記ステップの前に、
モバイル通信ネットワークによってカバーされる地理的領域を分割することによって得られる前記地理グリッドに従って、前記地理グリッドに対応する前記情報グリッドを生成するステップと、
前記地理グリッドの地理サブグリッドが位置する地理的領域の無線リソース情報を取得し、前記情報グリッドの中で前記地理グリッドの前記地理サブグリッドに対応する情報サブグリッドに前記無線リソース情報を記憶するステップと、
を更に含み、
前記無線リソース情報は、チャネル測定情報及び／又はモバイル通信ネットワーク情報を含み、
前記地理グリッドの地理サブグリッドが位置する地理的領域の無線リソース情報を取得する前記ステップは、
前記地理グリッドの前記地理サブグリッドが位置する前記地理的領域の第２のモバイルデバイスによってレポートされるチャネル測定情報を取得するステップ、及び／又は、
前記地理グリッドの前記地理サブグリッドが位置する前記地理的領域のモバイル通信ネットワーク情報を取得するステップ、
を含み、
前記チャネル測定情報は、チャネル品質インジケータ、第１のドライブテスト情報及び第２のドライブテスト情報のうち少なくとも１つを含み、
前記地理グリッドの前記地理サブグリッドが位置する前記地理的領域の第２のモバイルデバイスによってレポートされる前記チャネル測定情報を取得する前記ステップは、
前記地理グリッドの前記地理サブグリッドが位置する前記地理的領域において即時最小化ドライブテスト状態にあるモバイルデバイスによってレポートされる第１のドライブテスト情報を取得する実施方式と、
前記地理グリッドの前記地理サブグリッドが位置する前記地理的領域においてログ最小化ドライブテスト状態にあるモバイルデバイスによってレポートされる第２のドライブテスト情報を取得する実施方式と、
のうち少なくとも１つを含む、方法。
【請求項２】
前記地理グリッドの前記地理サブグリッドが位置する前記地理的領域の第２のモバイルデバイスによってレポートされる前記チャネル測定情報を取得する前記ステップは、
前記地理グリッドの前記地理サブグリッドが位置する前記地理的領域において無線リソース制御接続状態にあるモバイルデバイスによってレポートされる測定レポート情報を取得する実施方式、
を更に含む、請求項１に記載の方法。
【請求項３】
前記モバイル通信ネットワーク情報は、ネットワーク構成情報及び／又はネットワーク負荷情報を含み、
前記地理グリッドの前記地理サブグリッドが位置する前記地理的領域の前記モバイル通信ネットワーク情報を取得する前記ステップは、
前記地理グリッドの前記地理サブグリッドが位置する前記地理的領域のネットワーク構成情報を取得するステップ、及び／又は、
ネットワーク負荷アルゴリズムに従って、前記地理グリッドの前記地理サブグリッドが位置する前記地理的領域のネットワーク負荷情報を取得するステップ、
を含む、請求項１又は２に記載の方法。
【請求項４】
情報グリッドの情報サブグリッドに記憶された無線リソース情報に従って、第１のモバイルデバイスが地理グリッドの任意の地理サブグリッドが位置する地理的領域に位置するとき、前記第１のモバイルデバイスのチャネル状況情報を予測する前記ステップは、
前記第１のモバイルデバイスの現在の地理的位置を決定し、前記現在の地理的位置が位置する第１の地理サブグリッドを決定するステップと、
前記第１のモバイルデバイスの移動傾向に従って、前記第１のモバイルデバイスが進入しようとしている第２の地理サブグリッドを決定するステップと、
前記第２の地理サブグリッドに対応する情報サブグリッドに記憶された無線リソース情報に従って、前記第１のモバイルデバイスが前記第２の地理サブグリッドが位置する地理的領域に位置するとき、前記第１のモバイルデバイスのチャネル状況情報を予測するステップと、
を含む、請求項１乃至３のいずれか一項に記載の方法。
【請求項５】
前記第１のモバイルデバイスの前記チャネル状況情報に従って、前記第１のモバイルデバイスをスケジューリングする前記ステップは、
前記地理的領域がホモジニアスモバイル通信ネットワークによってカバーされ、且つ前記第１のモバイルデバイスが無線リソース制御接続状態にあるとき、前記第１のモバイルデバイスが前記第２の地理サブグリッドが位置する前記地理的領域に位置するときに予測された前記第１のモバイルデバイスの前記チャネル状況情報に従って、前記第１のモバイルデバイスのスケジューリング優先度を高めるか否かを決定するステップ、
を含む、請求項４に記載の方法。
【請求項６】
前記第１のモバイルデバイスの前記チャネル状況情報に従って、前記第１のモバイルデバイスをスケジューリングする前記ステップは、
前記地理的領域がヘテロジニアス通信ネットワークによってカバーされ、且つ前記第１のモバイルデバイスが無線リソース制御接続状態にあるとき、前記第１のモバイルデバイスが前記第２の地理サブグリッドが位置する前記地理的領域に位置するときに予測された前記第１のモバイルデバイスの前記チャネル状況情報に従って、前記第１のモバイルデバイスについてハンドオーバを実行するか否かを決定するステップ、
を含み、前記ハンドオーバは、ネットワークハンドオーバ、基地局ハンドオーバ又はセルハンドオーバである、
請求項４に記載の方法。
【請求項７】
モバイル通信ネットワークにおけるネットワークデバイスであって、
情報グリッドの情報サブグリッドに記憶された無線リソース情報に従って、第１のモバイルデバイスが地理グリッドの任意の地理サブグリッドが位置する地理的領域に位置するとき、前記第１のモバイルデバイスのチャネル状況情報を予測するように構成されるプロセッサであって、前記地理グリッドは前記モバイル通信ネットワークによってカバーされる地理的領域に対応し、前記情報グリッドは前記地理グリッドに基づいて生成され、前記地理グリッドは複数の情報サブグリッドに分割され、各地理サブグリッドは１つの情報サブグリッドに対応し、前記地理サブグリッドに対応する地理的領域において生成された無線リソース情報は、対応する前記情報サブグリッドに記憶される、プロセッサ、
を備え、
前記プロセッサは更に、前記第１のモバイルデバイスの前記チャネル状況情報に従って、前記第１のモバイルデバイスをスケジューリングするように構成され、
前記プロセッサは更に、前記プロセッサが、前記情報グリッドの前記情報サブグリッドに記憶された前記無線リソース情報に従って、前記第１のモバイルデバイスが前記地理グリッドの任意の地理サブグリッドが位置する地理的領域に位置するときの、前記第１のモバイルデバイスの前記チャネル状況情報を予測する前に、モバイル通信ネットワークによってカバーされる地理的領域を分割することによって得られる前記地理グリッドに従って、前記地理グリッドに対応する前記情報グリッドを生成するように構成され、
前記ネットワークデバイスは更にレシーバを有し、
前記レシーバは、前記地理グリッドの地理サブグリッドが位置する地理的領域の無線リソース情報を取得し、前記無線リソース情報を、前記情報グリッドの中で前記地理グリッドの前記地理サブグリッドに対応する情報サブグリッドに記憶するように構成され、
前記無線リソース情報は、チャネル測定情報及び／又はモバイル通信ネットワーク情報を含み、
前記レシーバは、
前記地理グリッドの前記地理サブグリッドが位置する前記地理的領域の第２のモバイルデバイスによってレポートされる前記チャネル測定情報を取得するように構成され、且つ／又は、
前記地理グリッドの前記地理サブグリッドが位置する前記地理的領域の前記モバイル通信ネットワーク情報を取得するように構成され、
前記チャネル測定情報は、チャネル品質インジケータ、第１のドライブテスト情報及び第２のドライブテスト情報のうち少なくとも１つを含み、
前記レシーバは更に、
前記地理グリッドの前記地理サブグリッドが位置する前記地理的領域において即時最小化ドライブテスト状態にあるモバイルデバイスによってレポートされる第１のドライブテスト情報を取得する実施方式と、
前記地理グリッドの前記地理サブグリッドが位置する前記地理的領域においてログ最小化ドライブテスト状態にあるモバイルデバイスによってレポートされる第２のドライブテスト情報を取得する実施方式と、
のうち少なくとも１つを実施するように構成される、
ネットワークデバイス。
【請求項８】
前記レシーバは更に、
前記地理グリッドの前記地理サブグリッドが位置する前記地理的領域において無線リソース制御接続状態にあるモバイルデバイスによってレポートされる測定レポート情報を取得する実施方式、
を実施するように構成される、請求項７に記載のネットワークデバイス。
【請求項９】
前記モバイル通信ネットワーク情報は、ネットワーク構成情報及び／又はネットワーク負荷情報を含み、
前記レシーバは更に、
前記地理グリッドの前記地理サブグリッドが位置する前記地理的領域の前記ネットワーク構成情報を取得するように構成され、且つ／又は、
ネットワーク負荷アルゴリズムに従って、前記地理グリッドの前記地理サブグリッドが位置する前記地理的領域の前記ネットワーク負荷情報を取得するように構成される、
請求項７又は８に記載のネットワークデバイス。
【請求項１０】
前記プロセッサは、
前記第１のモバイルデバイスの現在の地理的位置を決定し、前記現在の地理的位置が位置する第１の地理サブグリッドを決定するように構成され、
前記第１のモバイルデバイスの移動傾向に従って、前記第１のモバイルデバイスが進入しようとしている第２の地理サブグリッドを決定するように構成され、
前記第２の地理サブグリッドに対応する情報サブグリッドに記憶された無線リソース情報に従って、前記第１のモバイルデバイスが前記第２の地理サブグリッドが位置する地理的領域に位置するとき、前記第１のモバイルデバイスのチャネル状況情報を予測するように構成される、
請求項７乃至９のいずれか一項に記載のネットワークデバイス。
【請求項１１】
前記プロセッサは更に、
前記地理的領域がホモジニアスモバイル通信ネットワークによってカバーされ、且つ前記第１のモバイルデバイスが無線リソース制御接続状態にあるとき、前記第１のモバイルデバイスが前記第２の地理サブグリッドが位置する前記地理的領域に位置するときに予測された前記第１のモバイルデバイスの前記チャネル状況情報に従って、前記第１のモバイルデバイスのスケジューリング優先度を高めるか否かを決定するように構成される、
請求項１０に記載のネットワークデバイス。
【請求項１２】
前記プロセッサは更に、
前記地理的領域がヘテロジニアス通信ネットワークによってカバーされ、且つ前記第１のモバイルデバイスが無線リソース制御接続状態にあるとき、前記第１のモバイルデバイスが前記第２の地理サブグリッドが位置する前記地理的領域に位置するときに予測された前記第１のモバイルデバイスの前記チャネル状況情報に従って、前記第１のモバイルデバイスについてハンドオーバを実行するか否かを決定するように構成され、
前記ハンドオーバは、ネットワークハンドオーバ、基地局ハンドオーバ又はセルハンドオーバである、
請求項１０に記載のネットワークデバイス。
【発明の詳細な説明】
【技術分野】
【０００１】
本発明の実施形態は通信技術に関し、特に、ユーザ装置スケジューリングのための方法及びデバイスに関する。
【背景技術】
【０００２】
モバイル通信システムでは、ネットワーク側装置がユーザ装置をスケジューリングし、その結果、ユーザ装置はより良好な通信を行うことができる。
【０００３】
従来技術では、ネットワーク側装置がユーザ装置をスケジューリングする前に、ネットワーク側装置は測定制御メッセージをユーザ装置に送信する。測定制御メッセージは、ユーザ装置が測定する必要のあるコンテンツを含む。ユーザ装置は、測定制御メッセージに従って測定を行い、その測定結果を測定レポートの形でネットワーク側装置に送信する。ネットワーク側装置は、ユーザ装置によって送信された測定レポートに従って、ユーザ装置をスケジューリングする。
【０００４】
そして、従来技術では、まず、ユーザ装置が測定レポートを送信した後、ネットワーク側装置が測定レポートに従ってユーザ装置をスケジューリングする方式は、ネットワーク側装置がユーザ装置をスケジューリングするときに時間ヒステリシスを生じてしまう。
【発明の概要】
【０００５】
本発明の実施形態は、ネットワークデバイスがユーザ装置をスケジューリングするときに時間ヒステリシスを回避することができる、ユーザ装置スケジューリング方法及びデバイスを提供する。
【０００６】
第１の態様によれば、本発明の実施形態は、ユーザ装置スケジューリング方法を提供する。本方法は、
情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するステップであって、情報グリッドの情報サブグリッドと地理グリッドの地理サブグリッドとの間には対応関係があり、情報サブグリッドは、対応する地理サブグリッドが位置する地理的領域の無線リソース情報を記憶するのに用いられる、ステップと、
第１のユーザ装置のチャネル状況情報に従って、第１のユーザ装置をスケジューリングするステップと、
を含む。
【０００７】
第１の態様に関して、第１の態様の第１の可能な実施方式では、情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するステップの前に、本方法は更に、
モバイル通信ネットワークによってカバーされる地理的領域を分割することによって得られる地理グリッドに従って、地理グリッドに対応する情報グリッドを生成するステップと、
地理グリッドの地理サブグリッドが位置する地理的領域の無線リソース情報を取得し、情報グリッドの中で地理グリッドの地理サブグリッドに対応する情報サブグリッドに無線リソース情報を記憶するステップと、
を含む。
【０００８】
第１の態様の第１の可能な実施方式に関して、第１の態様の第２の可能な実施方式では、無線リソース情報はチャネル測定情報及び／又はモバイル通信ネットワーク情報を含み、
地理グリッドの地理サブグリッドが位置する地理的領域の無線リソース情報を取得するステップは、
地理グリッドの地理サブグリッドが位置する地理的領域の第２のユーザ装置によってレポートされるチャネル測定情報を取得するステップ、及び／又は、
地理グリッドの地理サブグリッドが位置する地理的領域のモバイル通信ネットワーク情報を取得するステップ、
を含む。
【０００９】
第１の態様の第２の可能な実施方式に関して、第１の態様の第３の可能な実施方式では、チャネル測定情報は、チャネル品質インジケータ、第１のドライブテスト情報及び第２のドライブテスト情報のうち少なくとも１つを含み、
地理グリッドの地理サブグリッドが位置する地理的領域の第２のユーザ装置によってレポートされるチャネル測定情報を取得するステップは、
地理グリッドの地理サブグリッドが位置する地理的領域において無線リソース制御プロトコル接続状態にあるユーザ装置によってレポートされる測定レポート情報を取得する実施方式と、
地理グリッドの地理サブグリッドが位置する地理的領域において即時最小化ドライブテスト状態にあるユーザ装置によってレポートされる第１のドライブテスト情報を取得する実施方式と、
地理グリッドの地理サブグリッドが位置する地理的領域においてログ最小化ドライブテスト状態にあるユーザ装置によってレポートされる第２のドライブテスト情報を取得する実施方式と、
のうち少なくとも１つを含む。
【００１０】
第１の態様の第２又は第３の可能な実施方式に関して、第１の態様の第４の可能な実施方式では、モバイル通信ネットワーク情報はネットワーク構成情報及び／又はネットワーク負荷情報を含み、
地理グリッドの地理サブグリッドが位置する地理的領域のモバイル通信ネットワーク情報を取得するステップは、
地理グリッドの地理サブグリッドが位置する地理的領域のネットワーク構成情報を取得するステップ、及び／又は、
ネットワーク負荷アルゴリズムに従って、地理グリッドの地理サブグリッドが位置する地理的領域のネットワーク負荷情報を取得するステップ、
を含む。
【００１１】
第１の態様又は第１の態様の第１〜４の可能な実施方式のいずれか１つに関して、第１の態様の第５の可能な実施方式では、情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するステップは、
第１のユーザ装置の現在の地理的位置を決定し、現在の地理的位置が位置する第１の地理サブグリッドを決定するステップと、
第１のユーザ装置の移動傾向に従って、第１のユーザ装置が進入しようとしている第２の地理サブグリッドを決定するステップと、
第２の地理サブグリッドに対応する情報サブグリッドに記憶された無線リソース情報に従って、第１のユーザ装置が第２の地理サブグリッドが位置する地理的領域に位置するとき、第１のユーザ装置のチャネル状況情報を予測するステップと、
を含む。
【００１２】
第１の態様の第５の可能な実施方式に関して、第１の態様の第６の可能な実施方式では、第１のユーザ装置のチャネル状況情報に従って、第１のユーザ装置をスケジューリングするステップは、
地理的領域がホモジニアスモバイル通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置のスケジューリング優先度を高めるか否かを決定するステップ、
を含む。
【００１３】
第１の態様の第５の可能な実施方式に関して、第１の態様の第７の可能な実施方式では、第１のユーザ装置のチャネル状況情報に従って、第１のユーザ装置をスケジューリングするステップは、
地理的領域がヘテロジニアス通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置についてハンドオーバを実行するか否かを決定するステップ、
を含む。ハンドオーバは、具体的には、ネットワークハンドオーバ、基地局ハンドオーバ又はセルハンドオーバである。
【００１４】
第１の態様の第５の可能な実施方式に関して、第１の態様の第８の可能な実施方式では、第１のユーザ装置のチャネル状況情報に従って、第１のユーザ装置をスケジューリングするステップは、
第１のユーザ装置のチャネル状況情報と、第１のユーザ装置の通信サービスタイプと、第２の地理サブグリッドが位置する地理的領域が無線ローカルエリアネットワークによってカバーされていることとに従って、第１のユーザ装置によりモバイル通信ネットワークを用いて送信されるサービスデータをオフロードするために無線ローカルエリアネットワークを用いるか否かを決定するステップ、
を含む。
【００１５】
第１の態様又は第１の態様の第２〜４の可能な実施方式のいずれか１つに関して、第１の態様の第９の可能な実施方式では、第１のユーザ装置のチャネル状況情報に従って、第１のユーザ装置をスケジューリングするステップは、
第１のユーザ装置が任意の地理サブグリッドに位置し、且つ任意の地理サブグリッドがヘテロジニアスモバイル通信ネットワークにカバーされ、且つ第１のユーザ装置が無線リソース制御アイドル状態から無線リソース制御接続状態に切り替わるとき、第１のユーザ装置のチャネル状況情報に従って、第１のユーザ装置がヘテロジニアスモバイル通信ネットワークのモバイル通信ネットワークにアクセスするアクセス確率を決定し、アクセス確率に従って、第１のユーザ装置によってアクセスされるモバイル通信ネットワークを決定するステップ、
を含む。
【００１６】
第２の態様によれば、本発明の実施形態はネットワークデバイスを提供する。本ネットワークデバイスは、
情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するように構成される予測モジュールであって、情報グリッドの情報サブグリッドと地理グリッドの地理サブグリッドとの間には対応関係があり、情報サブグリッドは、対応する地理サブグリッドが位置する地理的領域の無線リソース情報を記憶するのに用いられる、予測モジュールと、
第１のユーザ装置のチャネル状況情報に従って、第１のユーザ装置をスケジューリングするように構成されるスケジューリングモジュールと、
を備える。
【００１７】
第２の態様に関して、第２の態様の第１の可能な実施方式では、本ネットワークデバイスは更に、
予測モジュールが、情報グリッドの情報サブグリッドに記憶された無線リソース情報に従って、第１のユーザ装置が地理グリッドの任意の地理サブグリッドが位置する地理的領域に位置するときの、第１のユーザ装置のチャネル状況情報を予測する前に、モバイル通信ネットワークによってカバーされる地理的領域を分割することによって得られる地理グリッドに従って、地理グリッドに対応する情報グリッドを生成するように構成される生成モジュールと、
地理グリッドの地理サブグリッドが位置する地理的領域の無線リソース情報を取得し、無線リソース情報を、情報グリッドの中で地理グリッドの地理サブグリッドに対応する情報サブグリッドに記憶するように構成される取得モジュールと、
を備える。
【００１８】
第２の態様の第１の可能な実施方式に関して、第２の態様の第２の可能な実施方式では、無線リソース情報はチャネル測定情報及び／又はモバイル通信ネットワーク情報を含み、
取得モジュールは、具体的には、
地理グリッドの地理サブグリッドが位置する地理的領域の第２のユーザ装置によってレポートされるチャネル測定情報を取得するように構成され、且つ／又は、
地理グリッドの地理サブグリッドが位置する地理的領域のモバイル通信ネットワーク情報を取得するように構成される。
【００１９】
第２の態様の第２の可能な実施方式に関して、第２の態様の第３の可能な実施方式では、チャネル測定情報は、チャネル品質インジケータ、第１のドライブテスト情報及び第２のドライブテスト情報のうち少なくとも１つを含み、
取得モジュールは更に、具体的には、
地理グリッドの地理サブグリッドが位置する地理的領域において無線リソース制御プロトコル接続状態にあるユーザ装置によってレポートされる測定レポート情報を取得する実施方式と、
地理グリッドの地理サブグリッドが位置する地理的領域において即時最小化ドライブテスト状態にあるユーザ装置によってレポートされる第１のドライブテスト情報を取得する実施方式と、
地理グリッドの地理サブグリッドが位置する地理的領域においてログ最小化ドライブテスト状態にあるユーザ装置によってレポートされる第２のドライブテスト情報を取得する実施方式と、
のうち少なくとも１つを実施するように構成される。
【００２０】
第２の態様の第２又は第３の可能な実施方式に関して、第２の態様の第４の可能な実施方式では、モバイル通信ネットワーク情報はネットワーク構成情報及び／又はネットワーク負荷情報を含み、
取得モジュールは更に、具体的には、
地理グリッドの地理サブグリッドが位置する地理的領域のネットワーク構成情報を取得するように構成され、且つ／又は、
ネットワーク負荷アルゴリズムに従って、地理グリッドの地理サブグリッドが位置する地理的領域のネットワーク負荷情報を取得するように構成される。
【００２１】
第２の態様又は第２の態様の第１〜４の可能な実施方式のいずれか１つに関して、第２の態様の第５の可能な実施方式では、予測モジュールは、具体的には、
第１のユーザ装置の現在の地理的位置を決定し、現在の地理的位置が位置する第１の地理サブグリッドを決定するように構成され、
第１のユーザ装置の移動傾向に従って、第１のユーザ装置が進入しようとしている第２の地理サブグリッドを決定するように構成され、
第２の地理サブグリッドに対応する情報サブグリッドに記憶された無線リソース情報に従って、第１のユーザ装置が第２の地理サブグリッドが位置する地理的領域に位置するとき、第１のユーザ装置のチャネル状況情報を予測するように構成される。
【００２２】
第２の態様の第５の可能な実施方式に関して、第２の態様の第６の可能な実施方式では、スケジューリングモジュールは、具体的には、
地理的領域がホモジニアスモバイル通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置のスケジューリング優先度を高めるか否かを決定する。
【００２３】
第２の態様の第５の可能な実施方式に関して、第２の態様の第７の可能な実施方式では、スケジューリングモジュールは、具体的には、
地理的領域がヘテロジニアス通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置についてハンドオーバを実行するか否かを決定するように構成され、
ハンドオーバは、具体的には、ネットワークハンドオーバ、基地局ハンドオーバ又はセルハンドオーバである。
【００２４】
第２の態様の第５の可能な実施方式に関して、第２の態様の第８の可能な実施方式では、スケジューリングモジュールは、具体的には、
第１のユーザ装置のチャネル状況情報と、第１のユーザ装置の通信サービスタイプと、第２の地理サブグリッドが位置する地理的領域が無線ローカルエリアネットワークによってカバーされていることとに従って、第１のユーザ装置によりモバイル通信ネットワークを用いて送信されるサービスデータをオフロードするために無線ローカルエリアネットワークを用いるか否かを決定するように構成される。
【００２５】
第２の態様又は第２の態様の第１〜４の可能な実施方式のいずれか１つに関して、第２の態様の第９の可能な実施方式では、スケジューリングモジュールは、具体的には、
第１のユーザ装置が任意の地理サブグリッドに位置し、且つ任意の地理サブグリッドがヘテロジニアスモバイル通信ネットワークにカバーされ、且つ第１のユーザ装置が無線リソース制御アイドル状態から無線リソース制御接続状態に切り替わるとき、第１のユーザ装置のチャネル状況情報に従って、第１のユーザ装置がヘテロジニアスモバイル通信ネットワークのモバイル通信ネットワークにアクセスするアクセス確率を決定し、アクセス確率に従って、第１のユーザ装置によってアクセスされるモバイル通信ネットワークを決定するように構成される。
【００２６】
第３の態様によれば、本発明の実施形態はネットワークデバイスを提供する。本ネットワークデバイスは、
情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するように構成されるプロセッサであって、情報グリッドの情報サブグリッドと地理グリッドの地理サブグリッドとの間には対応関係があり、情報サブグリッドは、対応する地理サブグリッドが位置する地理的領域の無線リソース情報を記憶するのに用いられる、プロセッサ、
を備える。プロセッサは更に、第１のユーザ装置のチャネル状況情報に従って、第１のユーザ装置をスケジューリングするように構成される。
【００２７】
第３の態様に関して、第３の態様の第１の可能な実施方式では、プロセッサは更に、プロセッサが、情報グリッドの情報サブグリッドに記憶された無線リソース情報に従って、第１のユーザ装置が地理グリッドの任意の地理サブグリッドが位置する地理的領域に位置するときの、第１のユーザ装置のチャネル状況情報を予測する前に、モバイル通信ネットワークによってカバーされる地理的領域を分割することによって得られる地理グリッドに従って、地理グリッドに対応する情報グリッドを生成するように構成され、
ネットワークデバイスは更にレシーバを有し、
レシーバは、地理グリッドの地理サブグリッドが位置する地理的領域の無線リソース情報を取得し、無線リソース情報を、情報グリッドの中で地理グリッドの地理サブグリッドに対応する情報サブグリッドに記憶するように構成される。
【００２８】
第３の態様の第１の可能な実施方式に関して、第３の態様の第２の可能な実施方式では、無線リソース情報はチャネル測定情報及び／又はモバイル通信ネットワーク情報を含み、
レシーバは、具体的には、
地理グリッドの地理サブグリッドが位置する地理的領域の第２のユーザ装置によってレポートされるチャネル測定情報を取得するように構成され、且つ／又は、
地理グリッドの地理サブグリッドが位置する地理的領域のモバイル通信ネットワーク情報を取得するように構成される。
【００２９】
第３の態様の第２の可能な実施方式に関して、第３の態様の第３の可能な実施方式では、チャネル測定情報は、チャネル品質インジケータ、第１のドライブテスト情報及び第２のドライブテスト情報のうち少なくとも１つを含み、
レシーバは更に、具体的には、
地理グリッドの地理サブグリッドが位置する地理的領域において無線リソース制御プロトコル接続状態にあるユーザ装置によってレポートされる測定レポート情報を取得する実施方式と、
地理グリッドの地理サブグリッドが位置する地理的領域において即時最小化ドライブテスト状態にあるユーザ装置によってレポートされる第１のドライブテスト情報を取得する実施方式と、
地理グリッドの地理サブグリッドが位置する地理的領域においてログ最小化ドライブテスト状態にあるユーザ装置によってレポートされる第２のドライブテスト情報を取得する実施方式と、
のうち少なくとも１つを実施するように構成される。
【００３０】
第３の態様の第２又は第３の可能な実施方式に関して、第３の態様の第４の可能な実施方式では、モバイル通信ネットワーク情報はネットワーク構成情報及び／又はネットワーク負荷情報を含み、
レシーバは更に、具体的には、
地理グリッドの地理サブグリッドが位置する地理的領域のネットワーク構成情報を取得するように構成され、且つ／又は、
ネットワーク負荷アルゴリズムに従って、地理グリッドの地理サブグリッドが位置する地理的領域のネットワーク負荷情報を取得するように構成される。
【００３１】
第３の態様又は第３の態様の第１〜４の可能な実施方式のいずれか１つに関して、第３の態様の第５の可能な実施方式では、プロセッサは、具体的には、
第１のユーザ装置の現在の地理的位置を決定し、現在の地理的位置が位置する第１の地理サブグリッドを決定するように構成され、
第１のユーザ装置の移動傾向に従って、第１のユーザ装置が進入しようとしている第２の地理サブグリッドを決定するように構成され、
第２の地理サブグリッドに対応する情報サブグリッドに記憶された無線リソース情報に従って、第１のユーザ装置が第２の地理サブグリッドが位置する地理的領域に位置するとき、第１のユーザ装置のチャネル状況情報を予測するように構成される。
【００３２】
第３の態様の第５の可能な実施方式に関して、第３の態様の第６の可能な実施方式では、プロセッサは更に、具体的には、
地理的領域がホモジニアスモバイル通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置のスケジューリング優先度を高めるか否かを決定するように構成される。
【００３３】
第３の態様の第５の可能な実施方式に関して、第３の態様の第７の可能な実施方式では、プロセッサは更に、具体的には、
地理的領域がヘテロジニアス通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置についてハンドオーバを実行するか否かを決定するように構成され、
ハンドオーバは、具体的には、ネットワークハンドオーバ、基地局ハンドオーバ又はセルハンドオーバである。
【００３４】
第３の態様の第５の可能な実施方式に関して、第３の態様の第８の可能な実施方式では、プロセッサは更に、具体的には、
第１のユーザ装置のチャネル状況情報と、第１のユーザ装置の通信サービスタイプと、第２の地理サブグリッドが位置する地理的領域が無線ローカルエリアネットワークによってカバーされていることとに従って、第１のユーザ装置によりモバイル通信ネットワークを用いて送信されるサービスデータをオフロードするために無線ローカルエリアネットワークを用いるか否かを決定するように構成される。
【００３５】
第３の態様又は第３の態様の第１〜４の可能な実施方式のいずれか１つに関して、第３の態様の第９の可能な実施方式では、プロセッサは更に、具体的には、
第１のユーザ装置が任意の地理サブグリッドに位置し、且つ任意の地理サブグリッドがヘテロジニアスモバイル通信ネットワークにカバーされ、且つ第１のユーザ装置が無線リソース制御アイドル状態から無線リソース制御接続状態に切り替わるとき、第１のユーザ装置のチャネル状況情報に従って、第１のユーザ装置がヘテロジニアスモバイル通信ネットワークのモバイル通信ネットワークにアクセスするアクセス確率を決定し、アクセス確率に従って、第１のユーザ装置によってアクセスされるモバイル通信ネットワークを決定するように構成される。
【００３６】
本発明の実施形態は、ユーザ装置スケジューリング方法及びデバイスを提供する。本方法では、情報グリッドの情報サブグリッドに記憶された無線リソース情報に従って、第１のユーザ装置が任意の情報サブグリッドに対応する地理グリッドの地理サブグリッドが位置する地理的領域に位置するときの、第１のユーザ装置のチャネル状況情報が予測され、第１のユーザ装置は、第１のユーザ装置のチャネル状況情報に従ってスケジューリングされる。したがって、第１のユーザ装置のスケジューリングは、第１のユーザ装置の測定オーバヘッドを消費しないだけでなく、第１のユーザ装置の移動性によって引き起こされるチャネル品質変動等の因子も考慮する。情報サブグリッド内の無線リソース情報が完全に活用され、ユーザが最初に測定情報をレポートしてからスケジューリングされるという元の方式と比較して、時間の前進が得られる。
【図面の簡単な説明】
【００３７】
本発明の実施形態又は従来技術における技術的解決策をより明確に説明するために、以下、実施形態又は従来技術を説明するために必要な図面を簡潔に説明する。明らかながら、添付図面は以下の説明において、本発明の一部の実施形態を示すものに過ぎない。当業者であれば、これらの添付図面から創意工夫なく他の図面を更に導出できるであろう。
【図１】本発明に係るユーザ装置スケジューリング方法の第１の実施形態の概略フローチャートである。
【図２】本発明に係る情報グリッドの概略図である。
【図３】本発明の実施形態に係る、情報グリッドに基づくスケジューリングの適用シナリオ１の概略図である。
【図４】本発明の実施形態に係る、情報グリッドに基づくスケジューリングの適用シナリオ２の概略図である。
【図５】本発明の実施形態に係る、情報グリッドに基づくスケジューリングの適用シナリオ３の概略図である。
【図６】本発明の実施形態に係る、情報グリッドに基づくスケジューリングの適用シナリオ４の概略図である。
【図７】本発明に係るネットワークデバイスの第１の実施形態の概略構造図である。
【図８】本発明に係るネットワークデバイスの第２の実施形態の概略構造図である。
【図９】本発明に係るネットワークデバイスの第３の実施形態の概略構造図である。
【発明を実施するための形態】
【００３８】
以下、本発明の実施形態において添付図面を参照しながら、本発明の実施形態における技術的解決策を明確且つ完全に説明する。明らかながら、説明した実施形態は本発明の実施形態の一部に過ぎず、全部ではない。当業者が本発明の実施形態に基づいて創意工夫なく得た他の実施形態は、全て本発明の保護範囲に包含されるものとする。
【００３９】
図１は、本発明に係るユーザ装置スケジューリング方法の第１の実施形態の概略フローチャートである。本発明の本実施形態は、ネットワークデバイスによって実行される。ネットワークデバイスは、具体的には、基地局であってもよいし、無線ネットワークコントローラであってもよい。例えば、ユニバーサル地上無線アクセスネットワーク（ＵＴＲＡＮ）システムの場合、ネットワークデバイスは無線ネットワークコントローラ（ＲＮＣ）である。進化型ＵＴＲＡＮ（Ｅ−ＵＴＲＡＮ）システムの場合、ネットワークデバイスは進化型ＮｏｄｅＢ（ｅＮＢ）である。ネットワークデバイスは、任意のソフトウェア及び／又はハードウェアによって実現されてよい。図１に示されるように、本実施形態によって提供されるユーザ装置スケジューリング方法は、以下を含む。
【００４０】
ステップ１０１：情報グリッドの情報サブグリッドに記憶された無線リソース情報に従って、第１のユーザ装置が地理グリッドの任意の地理サブグリッドが位置する地理的領域に位置するときの、第１のユーザ装置のチャネル状況情報を予測する。
情報グリッドの情報サブグリッドと地理グリッドの地理サブグリッドとの間には対応関係があり、情報サブグリッドは、対応する地理サブグリッドが位置する地理的領域の無線リソース情報を記憶するのに用いられる。
【００４１】
ステップ１０２：第１のユーザ装置のチャネル状況情報に従って、第１のユーザ装置をスケジューリングする。
【００４２】
具体的な実施プロセスでは、本発明の本実施形態はホモジニアス無線ネットワークに適用されてもよく、ヘテロジニアス無線ネットワークに適用されてもよい。無線ネットワークでは、対応する無線リソースは複雑かつ多様であり、時間ドメイン、周波数ドメイン、電力等を含む。無線リソース割当てを最適化し、無線リソースを適切に割り当てるために、コグニティブ無線ネットワークに情報グリッドが適用され始めている。グリッド技術に基づき、本実施形態に含まれる情報グリッドは、異なる地理的エリアに分散された無線リソース情報を記憶する。具体的には、地理グリッドは、モバイル通信ネットワークによってカバーされる地理的領域を分割することによって得ることができ、情報グリッドは、地理グリッドに基づいて生成される。地理グリッドは複数の地理サブグリッドに分割される。これに対応して、情報グリッドは複数の情報サブグリッドに分割される。各地理サブグリッドは１つの情報サブグリッドに対応し、地理サブグリッドが位置する地理的領域において生成される無線リソース情報は、対応する情報サブグリッドに記憶される。当業者であれば分かるように、具体的な実施プロセスでは、地理グリッドが３×５グリッドに分割されると、情報グリッドも３×５グリッドに分割される。記憶及び識別を容易にするために、地理グリッドの第１行及び第１列の地理サブグリッドは、情報グリッドの第１行及び第１列の情報サブグリッドに対応し、地理グリッドの第１行及び第２列の地理サブグリッドは、情報グリッドの第１行及び第２列の情報部分グリッドに対応する。
【００４３】
コグニティブ無線ネットワークでは、コグニティブパイロットチャネル（Cognitive  Pilot  Channel、略してＣＰＣ）が導入されている。ＣＰＣは、情報グリッドの各情報サブグリッドの無線リソース情報を搬送する。各情報サブグリッドは、地理的位置情報、オペレータ情報、周波数帯域情報、無線アクセス技術情報等を含む。情報サブグリッドの無線リソース情報は、以下の機能を有する。例えば、第１のユーザ装置がオンになると、第１のユーザ装置は、第１のユーザ装置が位置する地理的領域に対応する情報サブグリッド内の対応する無線リソース情報を読み取り、環境認識、ネットワーク発見及び自律ネットワーク選択を自律的に実行する。或いは、第１のユーザ装置が移動中であって、ある地理サブグリッドから別の地理サブグリッドに移動しているとき、ネットワークデバイスは、該別の地理サブグリッドに対応する情報サブグリッド内の無線リソース情報に従って、第１のユーザ装置のチャネル状況情報を予測し、第１のユーザ装置のチャネル状況情報に従って、第１のユーザ装置をスケジューリングする。
【００４４】
第１に、具体的な実施形態を用いて、情報グリッドと情報グリッドのサブグリッド内の無線リソース情報をどのように取得するのかを説明する。具体的には、モバイル通信ネットワークによってカバーされる地理的領域を分割して得られる地理グリッドに従って、ネットワークデバイスは、地理グリッドに対応する情報グリッドを生成し、地理グリッドの地理サブグリッドが位置する地理的領域の無線リソース情報を取得し、無線リソース情報を、情報グリッドの中で地理グリッドの地理サブグリッドに対応する情報サブグリッドに記憶する。以下の詳細な説明のための例として、具体的な実施形態を用いる。
【００４５】
モバイル通信ネットワークによってカバーされる地理的領域が最初に決定され、複数のモバイル通信ネットワーク（セルラーネットワーク又は非セルラーネットワーク）によってカバーされる地理的領域が分割される。具体的には、共通都市部のマクロセル環境におけるシャドウフェーディングの相関距離は５０ｍであり、したがって、本実施形態では分割時に１０ｍ×１０ｍの粒度を用いる。本実施形態における分割は単なる例示である。本実施形態では、具体的な分割方式を特に限定するものではない。当業者であれば分かるように、小規模なフェージングが無視されるという条件では、無線チャネル環境は、地理グリッドの同じ地理サブグリッドによってカバーされる領域において類似する。地理グリッドが決定された後、情報グリッドが生成される。地理グリッドと情報グリッドとの間には対応関係があり、情報グリッドは複数の情報サブグリッドを含み、地理サブグリッドが位置する領域の無線リソース情報は、情報グリッドの情報サブグリッドに対応して記憶される。図２は、本発明に係る情報グリッドの概略図である。図２に示されるように、本発明の本実施形態によって提供される情報グリッドは１００個の情報サブグリッドを含む。情報グリッドに対応する地理サブグリッドは、複数のネットワークによってカバーされる。説明を容易にするために、本実施形態では、ネットワークカバレッジ条件も情報グリッドの概略図に描かれている。本実施形態では複数の種類のネットワークカバレッジが存在し、主に、ロングタームエボリューション（Long  Term  Evolution、略してＬＴＥ）通信システム、モバイル通信用グローバルシステム（Global  System  for  Mobile  communication，略してＧＳＭ）、高速ダウンリンクパケットアクセス（High  Speed  Downlink  Packet  Access，略してＨＳＰＤＡ）、無線ローカルアクセスネットワーク（Wireless  Local  Access  Network，略してＷＬＡＮ）等を含んでよい。
【００４６】
ネットワークデバイスは、地理グリッドの各地理サブグリッドが位置する領域の無線リソース情報を取得する。無線リソース情報は、主に、チャネル測定情報及び／又はモバイル通信ネットワーク情報を含む。
【００４７】
モバイル通信ネットワーク情報については、地理グリッドの地理サブグリッドが位置する領域のモバイル通信ネットワーク情報が取得される。モバイル通信ネットワーク情報は、ネットワーク構成情報及び／又はネットワーク負荷情報を含む。任意の情報サブグリッド“＃ｋ”を一例として用いる。説明を容易にするために、“＃ｋ”は、情報グリッドの１つの情報サブグリッドのマークを表し、情報サブグリッドの識別に用いられる。当業者であれば分かるように、具体的な実施プロセスでは、情報サブグリッドは更に別の方式で識別されてよい。本実施形態では特に限定しない。ネットワーク構成情報は、ネットワークデバイスに予め設定された各種の情報であり、現在の地理的位置情報、オペレータ情報、周波数帯域情報、ネットワークカバレッジ情報等を含む。ネットワークデバイスは、ネットワークデバイスの構成に従って、地理グリッドの地理サブグリッドが位置する地理的領域のネットワーク構成情報を直接取得してよい。ネットワーク負荷情報は、ネットワーク負荷アルゴリズムに従ってネットワークデバイスが取得した、地理グリッドの地理サブグリッドが位置する領域のネットワーク負荷情報であり、ネットワーク軽負荷情報、ネットワーク中負荷情報又はネットワーク重負荷情報を含む。任意に、ヘテロジニアス無線ネットワークである場合、ネットワーク負荷情報は各無線ネットワークの負荷情報を含む。そして、ネットワークデバイスは、対応する情報サブグリッド＃ｋにモバイル通信ネットワーク情報を記憶する。
【００４８】
チャネル測定情報について、チャネル測定情報は、チャネル品質インジケータ、第１のドライブテスト情報及び第２のドライブテスト情報のうち少なくとも１つを含む。具体的な取得方式は次のとおりである。
【００４９】
地理グリッドの地理サブグリッドが位置する地理的領域内の第２のユーザ装置によって報告されるチャネル測定情報が取得される。第２のユーザ装置は、具体的には、無線リソース制御接続状態のユーザ装置と、即時（Immediate）最小化ドライブテスト状態のユーザ装置と、ログ（Logged）最小化ドライブテスト状態のユーザ装置とのうち少なくとも１つであってよい。最小化ドライブテスト（ＭＤＴ）機能は、ユーザ装置を用いて測定情報を自動的に収集し、コントロールプレーンシグナリングを用いて、ドライブテスト情報をネットワークデバイス（ＵＴＲＡＮシステムではＲＮＣを指し、Ｅ−ＵＴＲＡＮシステムではｅＮＢを指す）にレポートする。ドライブテスト情報は、ネットワーク状態を反映することができ、ネットワークパフォーマンスインジケータに対して直接測定及び評価の機能を有する。具体的な実施プロセスでは、ネットワークデバイスは、最小化ドライブテスト状態のユーザ装置に測定構成情報を送信する。測定条件を満たすと、ユーザ装置は、測定を開始してドライブテスト情報を取得し、それからドライブテスト情報をネットワークデバイスにレポートする。ログ最小化ドライブテストは、ユーザ装置が無線リソース制御アイドル状態にあることを示し、ユーザ装置は、構成情報に従ってアイドル状態で測定及び記憶を実行し、その後接続状態に入るときにレポート条件を満たすと、測定レポートをネットワーク側にレポートする。即時最小化ドライブテストは、ユーザ装置が無線リソース制御接続状態にあることを示し、ＵＥは接続状態で測定を行い、測定が完了した後に測定レポートをネットワークデバイスにレポートする。
【００５０】
したがって、地理グリッドの地理サブグリッドが位置する領域の第２のユーザ装置によってレポートされるチャネル測定情報を取得することは、以下の実施方式のうち少なくとも１つを含む。
【００５１】
可能な実施方式では、地理グリッドの地理サブグリッドが位置する地理的領域において無線リソース制御接続状態にあるユーザ装置によって報告された測定レポート情報が取得される。具体的には、一例として任意の情報サブグリッド＃ｋを用いる。無線リソース制御接続状態のユーザ装置は、測定レポートをネットワークデバイスにレポートする。測定レポートは、チャネル品質インジケータ（Channel  Quality  Indicator，略してＣＱＩ）、隣接セルの信号品質、受信信号強度インジケータ等を含み、測定レポート情報は、対応する情報サブグリッド＃ｋにチャネル測定情報として記憶される。
【００５２】
別の可能な実施方式では、地理グリッドの地理サブグリッドが位置する地理的領域においてImmediate（即時）最小化ドライブテスト状態にあるユーザ装置によって報告された第１のドライブテスト情報が取得される。一例として任意の情報サブグリッド＃ｋを用いる。Immediate最小化ドライブテスト状態のユーザ装置は、第１のドライブテスト情報をネットワークデバイスに定期的にレポートする。第１のドライブテスト情報は、対応する情報サブグリッド＃ｋにチャネル測定情報として記憶される。レポートされる第１のドライブテスト情報は、参照信号受信電力（Reference  Signal  Received  Power，略してＲＳＲＰ）、無線リンク障害（Radio  Link  Failure、略してＲＬＦ）の回数、物理ランダムアクセスチャネル（Physical  Random  Access  Channel，略してＰＲＡＣＨ）のバックオフ時間等を含む。
【００５３】
更に別の可能な実施方式では、地理グリッドの地理サブグリッドが位置する地理的領域においてLogged（ログ）最小化ドライブテスト状態にあるユーザ装置によって報告された第２のドライブテスト情報が取得される。一例として任意の情報サブグリッド＃ｋを用いる。Logged最小化ドライブテスト状態のユーザ装置が無線リソース制御アイドル状態で測定を行って第２のドライブテスト情報を取得するとき、遅延が存在する。ＲＳＲＰの場合、Logged最小化ドライブテスト状態のユーザ装置が、地理サブグリッドの位置する領域のＲＳＲＰが比較的弱いことを頻繁にフィードバックするとき、地理サブグリッドが弱いカバレッジ下にあるか、又はカバレッジホール内にあることを示す。新たに呼出しを開始するユーザ装置は、このグリッド内でアクセスを得ることを防止する必要がある。サービスレートを保証するために、ＲＲＣ接続状態のユーザに対してスケジューリング優先度を高める必要がある。
【００５４】
前述の実施方法を実行することにより、情報サブグリッドは無線リソース情報を記憶する。無線リソース情報の構成を以下に示す。
【表１】
0006466475.tif 000002
【００５５】
更に、当業者であれば分かるように、各情報サブグリッドに記憶された無線リソース情報は、静的情報と動的情報に分類されてよい。静的情報は、具体的には、地理的位置情報、オペレータ情報、周波数帯域情報等のネットワーク構成情報であってよい。動的情報は、具体的には、ネットワーク負荷情報、チャネル測定情報等であってよい。動的情報は、時間が変化するにつれて定期に更新されてよい。
【００５６】
結論として、情報グリッドは、ユーザ装置の無線リソース情報が空間相関を有することを保証するために、地理グリッドを用いて生成される。定期的な更新により、ユーザ装置の無線リソース情報が時間的相関性を有することが保証される。２次元空間及び時間により、情報サブグリッドに対応する地理サブグリッド内のユーザ装置が大規模フェージングの範囲内で相関性を有することが保証される。
【００５７】
以下、具体的な実施形態を用いて、第１のユーザ装置をどのようにスケジューリングするのかを説明する。
【００５８】
ステップ１０１では、情報グリッドの情報サブグリッドに記憶された無線リソース情報に従って、第１のユーザ装置が地理グリッドの任意の地理サブグリッドが位置する地理的領域に位置するときの、第１のユーザ装置のチャネル状況情報が予測される。
【００５９】
具体的な実施プロセスでは、第１のユーザ装置の現在の地理的位置が決定され、現在の地理的位置が位置する第１の地理サブグリッドが決定される。第１のユーザ装置の移動傾向に従って、第１のユーザ装置が進入しようとしている第２の地理サブグリッドが決定される。第２の地理サブグリッドに対応する情報サブグリッドに記憶された無線リソース情報に従って、第１のユーザ装置が第２の地理サブグリッド内にあるときの第１のユーザ装置のチャネル状況情報が予測される。チャネル状況情報は、チャネル品質、第１のユーザ装置が受けるチャネル状態、信号対雑音比、ビット誤り率等であってよい。
【００６０】
具体的には、第１のユーザ装置の地理的位置を探して決定するために、全地球測位システム（ＧＰＳ）を採用することができ、或いは、第１のユーザ装置の地理的位置は、到着角度（Angle-of-Arrival、略してＡＯＡ）に基づく距離測定によって決定される。次いで、現在の地理的位置が位置する第１の地理サブグリッドが決定され、第１のユーザ装置の移動傾向に従って、第１のユーザ装置が進入しようとしている第２の地理サブグリッドが決定される。移動傾向は、移動方向と移動速度を含む。
【００６１】
第１のユーザ装置が第２の地理サブグリッドに侵入しようとしていると決定された後、第２の地理サブグリッドに対応する情報サブグリッドに記憶された無線リソース情報が取得される。この場合、第２の地理サブグリッドに対応する情報サブグリッドに記憶された無線リソース情報に従って、第１のユーザ装置が第２の地理サブグリッドにあるときの第１のユーザ装置のチャネル状況情報が予測される。具体的には、無線リソース情報は、オペレータ情報、周波数帯域情報、ネットワーク負荷情報、チャネル測定情報等を含む。具体的には、第２の地理サブグリッドに対応する情報サブグリッドに記憶された無線リソース情報は、第１のユーザ装置が第２の地理サブグリッドが位置する地理的領域に位置するときの、第１のユーザ装置の無線リソース情報である。ネットワークデバイスは、第２の地理サブグリッドに対応する情報グリッドに記憶された無線リソース情報に従って、第２の地理サブグリッドが位置する地理的領域の現在の無線リソース環境をリアルタイムで決定してよい。現在の無線リソース環境は、第１のユーザ装置が第２の地理サブグリッドに位置するときの、第１のユーザ装置の無線リソース環境である。したがって、ネットワークデバイスは、無線リソース情報に従って、第１のユーザ装置のチャネル状況情報を予測することができる。例えば、第２の地理サブグリッドに対応する情報サブグリッドに記憶されたＣＱＩ、ＲＳＲＰ等は、第１のユーザ装置が第２の地理サブグリッドが位置する地理的領域に位置するときの、第１のユーザ装置のＣＱＩ及びＲＳＲＰである。第１のユーザ装置のチャネル状況情報は、ＣＱＩ及びＲＳＲＰに従って予測することができる。
【００６２】
ステップ１０２では、第１のユーザ装置は、第１のユーザ装置のチャネル状況情報に従ってスケジューリングされる。具体的には、第１のユーザ装置のスケジューリング優先度を高めたり、第１のユーザ装置に対してハンドオーバ処理を行ったり、第１のユーザ装置に対してオフロード処理を行ったりすることができる。
【００６３】
当業者であれば分かるように、ステップ１０２のスケジューリング処理は、事前スケジューリングである。第１のユーザ装置が第２の地理サブグリッドに進入しようとしているとき、第１のユーザ装置のチャネル状況情報が決定される。第１のユーザ装置が第２の地理サブグリッドに進入したとき、第１のユーザ装置は測定レポートをレポートする必要はなく、第１のユーザ装置は、第１のユーザ装置のチャネル状況情報に従って直接スケジューリングされる。
【００６４】
本発明の本実施形態で提供されるユーザ装置スケジューリング方法では、情報グリッドの情報サブグリッドに記憶された無線リソース情報に従って、第１のユーザ装置が任意の情報サブグリッドに対応する地理グリッドの地理サブグリッドが位置する地理的領域に位置するときの、第１のユーザ装置のチャネル状況情報が予測され、第１のユーザ装置は、第１のユーザ装置のチャネル状況情報に従ってスケジューリングされる。したがって、第１のユーザ装置のスケジューリングは、第１のユーザ装置の測定オーバヘッドを消費しないだけでなく、第１のユーザ装置の移動性によって引き起こされるチャネル品質変動等の因子も考慮する。情報サブグリッド内の無線リソース情報が完全に活用され、ユーザが最初に測定情報をレポートしてからスケジューリングされるという元の方式と比較して、時間の前進が得られる。
【００６５】
以下、具体的な実施形態を用いて、本発明におけるネットワークデバイスによる第１のユーザ装置のスケジューリングを詳細に説明する。ネットワークデバイスによる第１のユーザ装置のスケジューリングには、２つのケースがある。一方のケースは、第１のユーザ装置が第１の地理サブグリッドから第２の地理サブグリッドに進入しようとしているか、又は、第１のユーザ装置が第１の地理サブグリッドから第２の地理サブグリッドに進入したところである。他方のケースは、第１のユーザ装置が第２の地理サブグリッドにあり、無線リソース制御アイドル状態から無線リソース制御接続状態に切り替わることである。第１のケースは、以下のスケジューリングシナリオを更に含む。すなわち、ホモジニアスモバイル通信ネットワークのシナリオでは、第１のユーザ装置のスケジューリング優先度が高められ、ヘテロジニアスモバイル通信ネットワークのシナリオでは、第１のユーザ装置に対してネットワークハンドオーバが実行され、無線フィデリティ（Wireless  Fidelity、略してＷｉＦｉ）カバレッジが存在する場合、第１のユーザ装置によりモバイル通信ネットワークを用いて送信されたサービスデータが、無線ローカルエリアネットワークを用いてオフロードされる。当業者であれば分かるように、実施形態は互いに独立していない。ホモジニアスモバイル通信ネットワークのシナリオかヘテロジニアスモバイル通信ネットワークのシナリオかに関わらず、ＷｉＦｉ通信範囲が存在する場合には、第１のユーザ装置によりモバイル通信ネットワークを用いて送信されたサービスデータを、無線ローカルエリアネットワークを用いてオフロードするか否かを決定することができる。以下、具体的な実施形態を用いて、可能な実施方式を詳細に説明する。
【００６６】
可能な実施方式では、地理的領域がホモジニアスモバイル通信ネットワークによってカバーされ、且つ第１のユーザ装置が無線リソース制御接続状態にあるとき、第１のユーザ装置が第２の地理サブグリッドが位置する地理的領域に位置するときの、第１のユーザ装置の予測されたチャネル状況情報に従って、第１のユーザ装置のスケジューリング優先度を高めるか否かが決定される。
【００６７】
具体的には、図３を参照することができる。図３は、本発明の実施形態に係る、情報グリッドに基づくスケジューリングの適用シナリオ１の概略図である。図３に示されるように、ホモジニアスモバイルネットワークによって地理的領域がカバーされ、同じ基地局が各ユーザ装置にサービスを提供し、第２のユーザ装置（User  Equipment，略してＵＥ）は、チャネル測定情報のレポートに用いられる。無線リソース制御（ＲＲＣ）接続状態にある第１のユーザ装置が第２の地理サブグリッドに進入しようとするとき、第１のユーザ装置が第２の地理サブグリッドに位置するときの、第１のユーザ装置のチャネル状況情報のＣＱＩ（第２の地理サブグリッドに対応する情報サブグリッドに記憶されたＣＱＩ）等に従って、第１のユーザ装置のチャネル品質が決定される。ＣＱＩは、無線チャネルの通信品質の測定基準である。ＣＱＩは、所与のチャネルのチャネル測定基準を表すことができ、これは１つの値（またはそれ以上の値）である。一般に、大きな値のＣＱＩは、チャネルが高品質であることを表す。チャネル品質が悪い場合、ネットワークデバイスは、第１のユーザ装置のスケジューリング優先度を高める。チャネル品質が良好な場合、第１のユーザ装置のスケジューリング優先度を高くする必要はない。具体的には、ネットワークデバイスがユーザ装置に割り当てる帯域幅リソースが限られているので、ネットワークデバイスは、スケジューリング優先度の高い順にリソースをユーザ装置に割り当てる。
【００６８】
別の可能な実施方式では、地理的領域がヘテロジニアス通信ネットワークによってカバーされ、且つ第１のユーザ装置が無線リソース制御接続状態にあるとき、第１のユーザ装置が第２の地理サブグリッドに位置するときの、第１のユーザ装置のチャネル状況情報に従って、第１のユーザ装置についてハンドオーバを実行するか否かが決定される。
【００６９】
具体的には、図４を参照することができる。図４は、本発明の実施形態に係る、情報グリッドに基づくスケジューリングの適用シナリオ２の概略図である。図４に示されるように、地理的領域は、ＬＴＥネットワーク及びユニバーサルモバイルテレコミュニケーションシステム（Universal  Mobile  Telecommunications  System，略してＵＭＴＳ）ネットワークによってカバーされる。ＬＴＥネットワークは第１の基地局によって提供され、ＵＭＴＳネットワークは第２の基地局によって提供される。第２のＵＥは、チャネル測定情報のレポートに用いられる。ＲＲＣ接続状態にある第１のＵＥが矢印方向に従って第２の地理サブグリッドに移動しようとするとき、第１のＵＥが第２の地理サブグリッドに位置しているときの第１のＵＥの予測されたチャネル状況情報（チャネル状況情報は、受信品質、受信レベル等（第２の地理サブグリッドに対応する情報サブグリッドに記憶されているか、或いは第２の地理サブグリッドに対応する情報サブグリッドに記憶された他の情報に従って計算される）を含む）に従って、ネットワークデバイスは、チャネル状況情報、ネットワーク負荷情報、ユーザ移動速度等に従って、ハンドオーバを行うか否かを決定する。ハンドオーバは、具体的には、ネットワークハンドオーバ、基地局ハンドオーバ、セルハンドオーバ等である。ハンドオーバは、電力バジェットに基づくハンドオーバと、受信レベルに基づくハンドオーバと、受信品質に基づくハンドオーバとを含む。したがって、チャネル状況情報は、受信電力、受信レベル、受信品質等を含んでよい。ネットワークハンドオーバは、ヘテロジニアスネットワーク内の異なるネットワーク間のハンドオーバを指す。基地局ハンドオーバは、異なる通信システムに対応する基地局間のハンドオーバを指す。セルハンドオーバは、異なる通信システムに対応するセル間のハンドオーバである。
【００７０】
更に別の可能な実施方式では、第１のユーザ装置のチャネル状況情報と、第１のユーザ装置の通信サービスタイプと、第２の地理サブグリッドが位置する地理的領域が無線ローカルエリアネットワークによってカバーされていることとに従って、第１のユーザ装置によりモバイル通信ネットワークを用いて送信されるサービスデータをオフロードするために無線ローカルエリアネットワークを用いるか否かが決定される。
【００７１】
具体的には、第１のユーザ装置は、第１のユーザ装置のチャネル状況情報と第１のユーザ装置の通信サービスタイプとに従って、スケジューリングされる。第１のユーザ装置のチャネル状況情報に従って、第１のユーザ装置のサービングセルが非常に負荷が高く、且つ第１のユーザ装置が音声サービスを実行していると決定された場合、オフロードは考慮されない。スムーズなユーザサービス速度を確保するために、第１のユーザ装置のスケジューリング優先度が高められる。
【００７２】
第１のユーザ装置がデータサービスを実行しているときに、第２の地理サブグリッドが位置する地理的領域にＷＩＦＩカバレッジがある場合、第１のユーザ装置からモバイル通信ネットワークを用いて送信されたサービスデータは、無線ローカルエリアネットワークを用いてオフロードされる。
【００７３】
ＷＩＦＩを用いてオフロードを行う場合、次のような可能なケースが含まれてよい。詳細を図５に示す。図５は、本発明の実施形態に係る、情報グリッドに基づくスケジューリングの適用シナリオ３の概略図である。図（ａ）は、ＷＬＡＮとＬＴＥを別々に展開するシナリオであり、図（ｂ）は、ＷＬＡＮとＬＴＥが共同で展開されるシナリオである。ＷＬＡＮとＬＴＥが独立して展開されることは、ネットワークデバイス（ＬＴＥ通信システムの基地局）と無線ローカルエリアネットワークアクセスポイント（Wireless  Local  Area  Network  Access  Point，略してWLAN  AP）が独立して配置されることを示し、両者はプライベートインタフェースを介して通信することができない。ＷＬＡＮとＬＴＥが共同して展開されることは、WLAN  APがネットワークデバイス（ＬＴＥ通信システムの基地局）に組み込まれることを示す。すなわち、両者は一体的に配置され、両者はプライベートインタフェースを介して情報を交換することができる。
【００７４】
共同展開に基づくシナリオでは、ネットワークデバイスとWLAN  APは、プライベートインタフェースを介して情報を交換することができる。WLAN  APは負荷情報をネットワークデバイスにレポートし、ネットワークデバイスは、ブロードキャストメッセージ又はＲＲＣメッセージを用いて、第１のユーザ装置にＷｉＦｉスイッチをオンにするよう指示するか否かを決定する。
【００７５】
独立展開に基づくシナリオでは、ネットワークデバイスとWLAN  APは、プライベートインタフェースを介して情報を交換することができない。ＷｉＦｉスイッチがオンされたユーザ装置は、負荷情報をネットワークデバイスにレポートし、ネットワークデバイスは、ブロードキャストメッセージ又はＲＲＣメッセージを用いて、第１のユーザ装置にＷｉＦｉスイッチをオンにするよう指示するか否かを決定する。
【００７６】
前述の実施形態に基づき、第１のユーザ装置が第１の地理サブグリッドから第２の地理サブグリッドに進入しようとしているとき、或いは第１のユーザ装置が第１の地理サブグリッドから第２の地理サブグリッドに進入したときに、第１のユーザ装置に対してネットワークデバイスによって実行されるスケジューリングを詳細に説明する。以下、具体的な実施形態を用いて、第１のユーザ装置が第２の地理サブグリッドに位置するときに、第１のユーザ装置に対してネットワークデバイスによって実行されるスケジューリングの状況を説明する。本発明によって提供されるユーザ装置スケジューリング方法は、更に以下を含む。
第１のユーザ装置が任意の地理サブグリッドに位置し、且つ任意の地理サブグリッドがヘテロジニアスモバイル通信ネットワークにカバーされ、且つ第１のユーザ装置が無線リソース制御アイドル状態から無線リソース制御接続状態に切り替わるとき、第１のユーザ装置のチャネル状況情報に従って、第１のユーザ装置がヘテロジニアスモバイル通信ネットワークのモバイル通信ネットワークにアクセスするアクセス確率を決定し、アクセス確率に従って、第１のユーザ装置によってアクセスされるモバイル通信ネットワークを決定する。
【００７７】
具体的には、図６は、本発明の実施形態に係る、情報グリッドに基づくスケジューリングの適用シナリオ４の概略図である。図６に示されるように、地理的領域は、ＬＴＥネットワーク及びＵＭＴＳネットワークによってカバーされる。ＬＴＥネットワークは第１の基地局によって提供され、ＵＭＴＳネットワークは第２の基地局によって提供される。第２のＵＥはチャネル測定情報のレポートに用いられる。ＲＲＣアイドル状態にある第１のＵＥが任意の地理サブグリッド内にあるとき、地理サブグリッドはＬＴＥネットワーク及びＵＭＴＳネットワークによってカバーされる。第１のＵＥがＲＲＣアイドル状態からＲＲＣ接続状態に切り替わり、且つ第１のＵＥがネットワークにアクセスする必要があるとき、各モバイル通信ネットワークにアクセスした後にユーザ装置が受けるチャネル状態は、第１のユーザ装置のチャネル状況情報に従って決定される。チャネル状況情報は、各モバイル通信ネットワークのネットワーク負荷等を含む。第１のユーザ装置がＬＴＥにアクセスする第１のアクセス確率と、第１のユーザ装置がＵＭＴＳにアクセスする第２のアクセス確率が、チャネル状況情報に従って決定される。例えば、ＬＴＥネットワークのネットワーク負荷が軽負荷であり、ＵＭＴＳネットワークのネットワーク負荷が重負荷である場合、第１のアクセス確率は第２のアクセス確率よりも大きく、第１のユーザ装置がアクセスするモバイル通信ネットワークがＬＴＥであると決定される。
【００７８】
結論として、本発明の本実施形態で提供されるユーザ装置スケジューリング方法では、前述の通信シナリオのどれに第１のユーザ装置が位置するかに関わらず、第１のユーザ装置の測定オーバヘッドは不要であり、第１のユーザ装置の移動によって生じるチャネル品質変動等の因子が考慮される。サブグリッド内の無線リソース情報は完全に活用され、ユーザが最初に測定情報をレポートしてからスケジューリングされるという元の方式と比較して、時間の前進が得られる。
【００７９】
図７は、本発明に係るネットワークデバイスの第１の実施形態の概略構造図である。本実施形態によって提供されるネットワークデバイス７０は、予測モジュール７０１及びスケジューリングモジュール７０２を備える。
【００８０】
予測モジュール７０１は、情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するように構成される。情報グリッドの情報サブグリッドと地理グリッドの地理サブグリッドとの間には対応関係があり、情報サブグリッドは、対応する地理サブグリッドが位置する地理的領域の無線リソース情報を記憶するのに用いられる。
スケジューリングモジュール７０２は、第１のユーザ装置のチャネル状況情報に従って、第１のユーザ装置をスケジューリングするように構成される。
【００８１】
図８は、本発明に係るネットワークデバイスの第２の実施形態の概略構造図である。本実施形態は、図７の実施形態に基づいて実施される。具体的には以下のとおりである。
【００８２】
任意に、ネットワークデバイスは更に、
予測モジュールが、情報グリッドの情報サブグリッドに記憶された無線リソース情報に従って、第１のユーザ装置が地理グリッドの任意の地理サブグリッドが位置する地理的領域に位置するときの、第１のユーザ装置のチャネル状況情報を予測する前に、モバイル通信ネットワークによってカバーされる地理的領域を分割することによって得られる地理グリッドに従って、地理グリッドに対応する情報グリッドを生成するように構成される生成モジュール７０３と、
地理グリッドの地理サブグリッドが位置する地理的領域の無線リソース情報を取得し、無線リソース情報を、情報グリッドの中で地理グリッドの地理サブグリッドに対応する情報サブグリッドに記憶するように構成される取得モジュール７０４と、
を備える。
【００８３】
任意に、無線リソース情報はチャネル測定情報及び／又はモバイル通信ネットワーク情報を含み、
取得モジュール７０４は、具体的には、
地理グリッドの地理サブグリッドが位置する地理的領域の第２のユーザ装置によってレポートされるチャネル測定情報を取得するように構成され、且つ／又は、
地理グリッドの地理サブグリッドが位置する地理的領域のモバイル通信ネットワーク情報を取得するように構成される。
【００８４】
任意に、チャネル測定情報は、チャネル品質インジケータ、第１のドライブテスト情報及び第２のドライブテスト情報のうち少なくとも１つを含み、
取得モジュール７０４は更に、具体的には、
地理グリッドの地理サブグリッドが位置する地理的領域において無線リソース制御プロトコル接続状態にあるユーザ装置によってレポートされる測定レポート情報を取得する実施方式と、
地理グリッドの地理サブグリッドが位置する地理的領域において即時最小化ドライブテスト状態にあるユーザ装置によってレポートされる第１のドライブテスト情報を取得する実施方式と、
地理グリッドの地理サブグリッドが位置する地理的領域においてログ最小化ドライブテスト状態にあるユーザ装置によってレポートされる第２のドライブテスト情報を取得する実施方式と、
のうち少なくとも１つを実施するように構成される。
【００８５】
任意に、モバイル通信ネットワーク情報はネットワーク構成情報及び／又はネットワーク負荷情報を含み、
取得モジュール７０４は更に、具体的には、
地理グリッドの地理サブグリッドが位置する地理的領域のネットワーク構成情報を取得するように構成され、且つ／又は、
ネットワーク負荷アルゴリズムに従って、地理グリッドの地理サブグリッドが位置する地理的領域のネットワーク負荷情報を取得するように構成される。
【００８６】
任意に、予測モジュール７０１は、具体的には、
第１のユーザ装置の現在の地理的位置を決定し、現在の地理的位置が位置する第１の地理サブグリッドを決定するように構成され、
第１のユーザ装置の移動傾向に従って、第１のユーザ装置が進入しようとしている第２の地理サブグリッドを決定するように構成され、
第２の地理サブグリッドに対応する情報サブグリッドに記憶された無線リソース情報に従って、第１のユーザ装置が第２の地理サブグリッドが位置する地理的領域に位置するとき、第１のユーザ装置のチャネル状況情報を予測するように構成される。
【００８７】
任意に、スケジューリングモジュール７０２は、具体的には、
地理的領域がホモジニアスモバイル通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置のスケジューリング優先度を高めるか否かを決定するように構成される。
【００８８】
任意に、スケジューリングモジュール７０２は、具体的には、
地理的領域がヘテロジニアス通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置についてハンドオーバを実行するか否かを決定するように構成され、
ハンドオーバは、具体的には、ネットワークハンドオーバ、基地局ハンドオーバ又はセルハンドオーバである。
【００８９】
任意に、スケジューリングモジュール７０２は、具体的には、
第１のユーザ装置のチャネル状況情報と、第１のユーザ装置の通信サービスタイプと、第２の地理サブグリッドが位置する地理的領域が無線ローカルエリアネットワークによってカバーされていることとに従って、第１のユーザ装置によりモバイル通信ネットワークを用いて送信されるサービスデータをオフロードするために無線ローカルエリアネットワークを用いるか否かを決定するように構成される。
【００９０】
任意に、スケジューリングモジュール７０２は、具体的には、第１のユーザ装置が任意の地理サブグリッドに位置し、且つ任意の地理サブグリッドがヘテロジニアスモバイル通信ネットワークにカバーされ、且つ第１のユーザ装置が無線リソース制御アイドル状態から無線リソース制御接続状態に切り替わるとき、第１のユーザ装置のチャネル状況情報に従って、第１のユーザ装置がヘテロジニアスモバイル通信ネットワークのモバイル通信ネットワークにアクセスするアクセス確率を決定し、アクセス確率に従って、第１のユーザ装置によってアクセスされるモバイル通信ネットワークを決定するように構成される。
【００９１】
本実施形態によって提供されるネットワークデバイスは、前述の方法実施形態の技術的解決策を実行するために使用されてよく、ネットワークデバイスの実施原理及び技術的効果は、方法実施形態のものと同様である。本実施形態では詳細の説明を省略する。
【００９２】
図９は、本発明に係るネットワークデバイスの第３の実施形態の概略構造図である。本実施形態によって提供されるネットワークデバイスは、プロセッサ９０１及びレシーバ９０２を備える。
【００９３】
プロセッサ９０１は、情報グリッドの情報サブグリッドに記憶された無線リソース情報に従って、第１のユーザ装置が地理グリッドの任意の地理サブグリッドが位置する地理的領域に位置するとき、第１のユーザ装置のチャネル状況情報を予測するように構成される。情報グリッドの情報サブグリッドと地理グリッドの地理サブグリッドとの間には対応関係があり、情報サブグリッドは、対応する地理サブグリッドが位置する地理的領域の無線リソース情報を記憶するのに用いられる。
プロセッサ９０１は更に、第１のユーザ装置のチャネル状況情報に従って、第１のユーザ装置をスケジューリングするように構成される。
【００９４】
任意に、プロセッサ９０１は更に、プロセッサが、情報グリッドの情報サブグリッドに記憶された無線リソース情報に従って、第１のユーザ装置が地理グリッドの任意の地理サブグリッドが位置する地理的領域に位置するときの、第１のユーザ装置のチャネル状況情報を予測する前に、モバイル通信ネットワークによってカバーされる地理的領域を分割することによって得られる地理グリッドに従って、地理グリッドに対応する情報グリッドを生成するように構成され、
レシーバ９０２は、地理グリッドの地理サブグリッドが位置する地理的領域の無線リソース情報を取得し、無線リソース情報を、情報グリッドの中で地理グリッドの地理サブグリッドに対応する情報サブグリッドに記憶するように構成される。
【００９５】
任意に、無線リソース情報はチャネル測定情報及び／又はモバイル通信ネットワーク情報を含み、
レシーバ９０２は、具体的には、
地理グリッドの地理サブグリッドが位置する地理的領域の第２のユーザ装置によってレポートされるチャネル測定情報を取得するように構成され、且つ／又は、
地理グリッドの地理サブグリッドが位置する地理的領域のモバイル通信ネットワーク情報を取得する。
【００９６】
任意に、チャネル測定情報は、チャネル品質インジケータ、第１のドライブテスト情報及び第２のドライブテスト情報のうち少なくとも１つを含み、
レシーバ９０２は更に、具体的には、
地理グリッドの地理サブグリッドが位置する地理的領域において無線リソース制御プロトコル接続状態にあるユーザ装置によってレポートされる測定レポート情報を取得する実施方式と、
地理グリッドの地理サブグリッドが位置する地理的領域において即時最小化ドライブテスト状態にあるユーザ装置によってレポートされる第１のドライブテスト情報を取得する実施方式と、
地理グリッドの地理サブグリッドが位置する地理的領域においてログ最小化ドライブテスト状態にあるユーザ装置によってレポートされる第２のドライブテスト情報を取得する実施方式と、
のうち少なくとも１つを実施するように構成される。
【００９７】
任意に、モバイル通信ネットワーク情報はネットワーク構成情報及び／又はネットワーク負荷情報を含み、
レシーバ９０２は更に、具体的には、
地理グリッドの地理サブグリッドが位置する地理的領域のネットワーク構成情報を取得するように構成され、且つ／又は、
ネットワーク負荷アルゴリズムに従って、地理グリッドの地理サブグリッドが位置する地理的領域のネットワーク負荷情報を取得するように構成される。
【００９８】
任意に、プロセッサ９０１は、具体的には、
第１のユーザ装置の現在の地理的位置を決定し、現在の地理的位置が位置する第１の地理サブグリッドを決定するように構成され、
第１のユーザ装置の移動傾向に従って、第１のユーザ装置が進入しようとしている第２の地理サブグリッドを決定するように構成され、
第２の地理サブグリッドに対応する情報サブグリッドに記憶された無線リソース情報に従って、第１のユーザ装置が第２の地理サブグリッドが位置する地理的領域に位置するとき、第１のユーザ装置のチャネル状況情報を予測するように構成される。
【００９９】
任意に、プロセッサ９０１は更に、具体的には、
地理的領域がホモジニアスモバイル通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置のスケジューリング優先度を高めるか否かを決定するように構成される。
【０１００】
任意に、プロセッサ９０１は更に、具体的には、
地理的領域がヘテロジニアス通信ネットワークによってカバーされ、且つ第１のユーザ装置が無線リソース制御接続状態にあるとき、第１のユーザ装置が第２の地理サブグリッドが位置する地理的領域に位置するときに予測された第１のユーザ装置のチャネル状況情報に従って、第１のユーザ装置についてハンドオーバを実行するか否かを決定するように構成され、
ハンドオーバは、具体的には、ネットワークハンドオーバ、基地局ハンドオーバ又はセルハンドオーバである。
【０１０１】
任意に、プロセッサ９０１は更に、具体的には、
第１のユーザ装置のチャネル状況情報と、第１のユーザ装置の通信サービスタイプと、第２の地理サブグリッドが位置する地理的領域が無線ローカルエリアネットワークによってカバーされていることとに従って、第１のユーザ装置によりモバイル通信ネットワークを用いて送信されるサービスデータをオフロードするために無線ローカルエリアネットワークを用いるか否かを決定するように構成される。
【０１０２】
任意に、プロセッサ９０１は更に、具体的には、
第１のユーザ装置が任意の地理サブグリッドに位置し、且つ任意の地理サブグリッドがヘテロジニアスモバイル通信ネットワークにカバーされ、且つ第１のユーザ装置が無線リソース制御アイドル状態から無線リソース制御接続状態に切り替わるとき、第１のユーザ装置のチャネル状況情報に従って、第１のユーザ装置がヘテロジニアスモバイル通信ネットワークのモバイル通信ネットワークにアクセスするアクセス確率を決定し、アクセス確率に従って、第１のユーザ装置によってアクセスされるモバイル通信ネットワークを決定するように構成される。
【０１０３】
本実施形態によって提供されるネットワークデバイスは、前述の方法実施形態の技術的解決策を実行するために使用されてよく、ネットワークデバイスの実施原理及び技術的効果は、方法実施形態のものと同様である。本実施形態では詳細の説明を省略する。
【０１０４】
留意すべきこととして、本明細書における「及び／又は」という語句は、関連するオブジェクトを記述するための関連関係を記述するものに過ぎず、３つの関係が存在し得ることを表す。例えば、Ａ及び／又はＢは、Ａのみ存在するケース、ＡとＢの両方が存在するケース、Ｂのみが存在するケースの３つのケースを表し得る。更に、本明細書中の記号“／”は、一般に、関連するオブジェクト間の「又は」の関係を示す。
【０１０５】
留意すべきこととして、前述のプロセスの順序番号は、本発明の様々な実施形態における実行順序を意味するものではない。プロセスの実行順序は、プロセスの機能や内部ロジックに従って決定されるべきであり、本発明の実施形態の実施プロセスに対する限定として解釈されるべきではない。
【０１０６】
当業者であれば分かるように、本明細書に開示された実施形態に記載された実施例と組み合わせて、ユニット及びアルゴリズムステップは、電子ハードウェア或いはコンピュータソフトウェアと電子ハードウェアとの組み合わせによって実現されてよい。機能がハードウェアによって実行されるかソフトウェアによって実行されるかは、技術的解決策の特定の適用及び設計制約条件に依存する。当業者であれば、それぞれの特定の適用について記載された機能を実施するために異なる方法を採用することができるであろうが、そのような実施は本発明の範囲を逸脱するものではないと考えられるべきである。
【０１０７】
当業者であれば明らかに分かるように、簡便な説明のために、上記のシステム、装置及びユニットの詳細な動作プロセスについては、前述の方法実施形態の対応するプロセスを参照することができ、その詳細はここでは再度説明しない。
【０１０８】
本出願で提供されるいくつかの実施形態では、留意すべきこととして、開示されたシステム、装置及び方法は、他の方式で実施されてよい。例えば、説明された装置実施形態は例示に過ぎない。例えば、ユニット分割は論理的な機能分割に過ぎず、実際の実施では他の分割であってよい。例えば、複数のユニット又はコンポーネントを別のシステムに組み合わせ又は統合したり、一部の機能を無視してよく、実行しなくてよい。更に、図示又は議論された相互結合又は直接結合若しくは通信接続は、いくつかのインタフェースを用いて実現されてよい。装置又はユニット間の間接結合又は通信接続は、電子的、機械的その他の形態で実現されてよい。
【０１０９】
別個のパーツとして記載されたユニットは、物理的に別個であってもなくてもよく、ユニットとして表示されるパーツは、物理ユニットであってもなくてもよく、１つの位置にあってもよく、複数のネットワークユニットに分散されてもよい。実施形態の解決策の目的を達成するために、ユニットの一部又は全部を実際の要件に応じて選択することができる。
【０１１０】
更に、本発明の実施形態における機能ユニットは、１つの処理ユニットに統合されてもよいし、物理的に単独で存在してもよいし、２つ以上のユニットが１つのユニットに統合されてもよい。
【０１１１】
当業者であれば分かるように、方法実施形態のステップの全部又は一部は、関連するハードウェアを指示するプログラムによって実現されてよい。プログラムは、コンピュータ可読記憶媒体に記憶されてよい。プログラムが実行されると、方法実施形態のステップが実行される。上記の記憶媒体は、ＲＯＭ、ＲＡＭ、磁気ディスク、光ディスク等の、プログラムコードを記憶可能な任意の媒体を含む。
【０１１２】
最後に、留意すべきこととして、前述の実施形態は、本発明の技術的解決策を説明するためのものであって、本発明を限定するものではない。本発明は上記の実施形態を参照して詳細に説明されたが、当業者であれば分かるように、当業者であれば、本発明の実施形態の技術的解決の範囲から逸脱することなく、前述の実施形態に記載された技術的解決策に対して更に変更を行ったり、その一部又は全部の技術的特徴に対して均等置換を行うことができるであろう。
【図１】
0006466475.tif 000003
【図２】
0006466475.tif 000004
【図３】
0006466475.tif 000005
【図４】
0006466475.tif 000006
【図５】
0006466475.tif 000007
【図６】
0006466475.tif 000008
【図７】
0006466475.tif 000009
【図８】
0006466475.tif 000010
【図９】
0006466475.tif 000011